(57)【要約】【課題】  通信機器のプロセッサ周辺装置を提供すること。【解決手段】  携帯電話などの通信機器が、ラップトップコンピュータなどのプロセッサの周辺装置として機能する。携帯電話とラップトップは、携帯用ネットワークではない通信リンクを介して直接結合される。ラップトップから、通信リンクを介してオーディオ、静止画像、ビデオデータ、またはユーザ対話のオプションが携帯電話に提供される。オーディオデータは、携帯電話のスピーカを介して携帯電話、またはヘッドセットによって処理される。静止画像またはビデオデータは、携帯電話のディスプレイによって表示される。ユーザ対話のプロンプトは、ディスプレイ、オーディオ、または携帯電話上の触覚的なフィードバックによって処理される。ユーザ入力／応答は、キーパッドまたは他の入力方法を通じて行われ、プロセッサに返される。通信リンクは、ブルートゥース互換リンクである。【選択図】  図４
2005027319.tif 000002
【特許請求の範囲】
【請求項１】
通信機器をプロセッサの周辺装置として使用するシステムであって、
前記通信機器は、
通信リンクを介して前記プロセッサから直接データを受信し、
前記受信データを処理し、
前記通信リンクを介して前記プロセッサに直接データを送信し、および
前記プロセッサおよび前記通信リンクと独立に他の通信機器と通信する機能を有し、
前記プロセッサは、
前記通信機器とは別個、独立であり、および
前記通信リンクを介して前記通信機器に直接結合していることを特徴とするシステム。
【請求項２】
前記プロセッサから前記通信機器へのデータの送信は、前記プロセッサによって開始されることを特徴とする請求項１に記載のシステム。
【請求項３】
前記通信機器は、音声通信機器を含むことを特徴とする請求項１に記載のシステム。
【請求項４】
前記通信機器は、携帯電話を含むことを特徴とする請求項１に記載のシステム。
【請求項５】
前記通信リンクは、有線通信リンクであることを特徴とする請求項１に記載のシステム。
【請求項６】
前記通信リンクは、無線通信リンクであることを特徴とする請求項１に記載のシステム。
【請求項７】
前記通信リンクは、ブルートゥース通信規格互換のリンクであることを特徴とする請求項１に記載のシステム。
【請求項８】
前記通信リンクは、光リンクを含むことを特徴とする請求項１に記載のシステム。
【請求項９】
前記通信リンクは、無線周波（ＲＦ）リンクを含むことを特徴とする請求項１に記載のシステム。
【請求項１０】
前記通信リンクは、ユニバーサルシリアルバス（ＵＳＢ）規格に準拠することを特徴とする請求項１に記載のシステム。
【請求項１１】
前記プロセッサから前記通信機器によって受信されるデータは、オーディオ情報を表すことを特徴とする請求項１に記載のシステム。
【請求項１２】
前記プロセッサから前記通信機器によって受信されるデータは、ビデオ情報を表すことを特徴とする請求項１に記載のシステム。
【請求項１３】
前記プロセッサから前記通信機器によって受信されるデータは、マルチメディア情報を表すことを特徴とする請求項１に記載のシステム。
【請求項１４】
前記通信機器によって送信されるデータは、ユーザ対話入力を表すことを特徴とする請求項１に記載のシステム。
【請求項１５】
前記通信機器によって送信されるデータは、メッセージを表すことを特徴とする請求項１に記載のシステム。
【請求項１６】
前記プロセッサは、ネットワークリンクを介してネットワークに結合され、
前記通信機器は、前記プロセッサを介して前記ネットワークと通信する機能を有することを特徴とする請求項１に記載のシステム。
【請求項１７】
前記ネットワークリンクは、伝送制御プロトコル／インターネットプロトコル（ＴＣＰ／ＩＰ）互換のリンクであることを特徴とする請求項１６に記載のシステム。
【請求項１８】
マイクロフォンと少なくとも１つのスピーカとを含むヘッドセットをさらに備え、
前記ヘッドセットは前記通信機器に結合され、
オーディオ情報を表すデータを前記通信機器から受信し、前記少なくとも１つのスピーカによって前記オーディオ情報を出力する機能、および
前記マイクロフォンを介してオーディオ情報を受信し、前記マイクロフォンのオーディオ情報を表すデータを前記通信機器に送信する機能を有することを特徴とする請求項１に記載のシステム。
【請求項１９】
前記プロセッサに結合された複数の通信機器をさらに備え、
前記プロセッサは、複数のアプリケーションを処理し、前記複数のアプリケーションの各々に関連付けられたデータを、前記複数の通信機器のうち選択されたものに送信する機能を有し、および
前記複数の通信機器のうち選択されたものの各々は、前記プロセッサから受信したデータを処理する機能を有することを特徴とする請求項１に記載のシステム。
【請求項２０】
前記複数のアプリケーションは複数のマルチメディアセッションを含み、前記複数の通信機器のうち選択されたものの各々は、受信したマルチメディアデータを処理することを特徴とする請求項１９に記載のシステム。
【請求項２１】
前記通信機器は、
前記通信リンクを介して前記プロセッサから直接データを受信する通信機器受信部と、
前記プロセッサに直接データを送信する通信機器送信部と
を含むことを特徴とする請求項１に記載のシステム。
【請求項２２】
前記通信機器は、周辺装置モードで構成されて、前記プロセッサの周辺装置として機能することを特徴とする請求項１に記載のシステム。
【請求項２３】
前記周辺装置モードへの構成は、前記通信機器および前記プロセッサのうち少なくとも１つによって開始および解除されることを特徴とする請求項２２に記載のシステム。
【請求項２４】
通信リンクを介してプロセッサから直接データを受信する受信部と、
前記通信リンクを介して前記プロセッサに直接データを送信する送信部とを備えたプロセッサ周辺装置の通信機器であって、
前記通信機器は、前記プロセッサおよび前記通信リンクと独立に他の通信機器と通信する機能を有し、
前記プロセッサから受信したデータをレンダリングする少なくとも１つの変換機をさらに備えたことを特徴とするプロセッサ周辺装置の通信機器。
【請求項２５】
前記通信機器は、周辺装置モードで構成されて、前記プロセッサの周辺装置として機能することを特徴とする請求項２４に記載の通信機器。
【請求項２６】
前記周辺装置モードへの構成は、前記通信機器および前記プロセッサのうち少なくとも１つによって開始および解除されることを特徴とする請求項２５に記載の通信機器。
【請求項２７】
前記通信機器は、音声通信機器を含むことを特徴とする請求項２４に記載の通信機器。
【請求項２８】
前記通信機器は、携帯電話を含むことを特徴とする請求項２４に記載の通信機器。
【請求項２９】
前記通信リンクは有線通信リンクであることを特徴とする請求項２４に記載の通信機器。
【請求項３０】
前記通信リンクは、無線通信リンクであることを特徴とする請求項２４に記載の通信機器。
【請求項３１】
前記通信リンクは、ブルートゥース通信規格互換のリンクであることを特徴とする請求項２４に記載の通信機器。
【請求項３２】
前記通信リンクは、光リンクを含むことを特徴とする請求項２４に記載の通信機器。
【請求項３３】
前記通信リンクは、無線（ＲＦ）リンクを含むことを特徴とする請求項２４に記載の通信機器。
【請求項３４】
前記通信リンクは、ユニバーサルシリアルバス（ＵＳＢ）規格に準拠することを特徴とする請求項２４に記載の通信機器。
【請求項３５】
前記プロセッサから前記通信機器が受信するデータは、オーディオ情報を表すことを特徴とする請求項２４に記載の通信機器。
【請求項３６】
前記プロセッサから前記通信機器が受信するデータは、ビデオ情報を表すことを特徴とする請求項２４に記載の通信機器。
【請求項３７】
前記プロセッサから前記通信機器が受信するデータは、マルチメディア情報を表すことを特徴とする請求項２４に記載の通信機器。
【請求項３８】
前記通信機器はヘッドセットに結合され、
前記ヘッドセットは、
前記通信機器からオーディオ情報を表すデータを受信し、少なくとも１つのスピーカによって前記オーディオ情報を出力する機能、および
マイクロフォンを介してオーディオ情報を受信し、前記マイクロフォンのオーディオ情報を表すデータを前記通信機器に送信する機能
を有することを特徴とする請求項２４に記載の通信機器。
【請求項３９】
プロセッサからのデータを通信機器で処理する方法であって、
前記プロセッサから通信リンクを介して前記通信機器により直接データを受信するステップであって、前記データはオーディオ情報およびビデオ情報のうち少なくとも１つを表すステップと、
前記オーディオ情報および前記ビデオ情報のうち少なくとも１つを前記通信機器で処理するステップであって、前記通信機器は、前記プロセッサおよび前記通信リンクと独立に他の通信機器と通信する機能を有するステップと
を備えたことを特徴とする方法。
【請求項４０】
前記通信機器は、周辺装置モードで構成されて、前記受信の動作および処理の動作を行うことを特徴とする請求項３９に記載の方法。
【請求項４１】
前記周辺装置モードへの構成は、前記通信機器および前記プロセッサのうち少なくとも１つによって開始および解除されることを特徴とする請求項４０に記載の方法。
【請求項４２】
前記通信機器は、音声通信機器を含むことを特徴とする請求項３９に記載の方法。
【請求項４３】
前記通信機器は、携帯電話を含むことを特徴とする請求項３９に記載の方法。
【請求項４４】
前記通信リンクは、有線通信リンク、無線通信リンク、ブルートゥース互換リンク、光リンク、無線周波（ＲＦ）リンク、ユニバーサルシリアルバス（ＵＳＢ）互換リンクのうち少なくとも１つであることを特徴とする請求項３９に記載の方法。
【請求項４５】
プロセッサからのデータを通信機器で処理するようにコンピュータプロセッサに指示するコンピュータプログラムコードが符号化されたコンピュータ読取可能な媒体であって、前記プログラムコードは、
前記コンピュータプロセッサに、前記プロセッサからのデータを通信リンクを介して前記通信機器により直接受信させる受信コード部であって、前記データはオーディオ情報およびビデオ情報のうち少なくとも１つを表す受信コード部と、
前記コンピュータプロセッサに、前記オーディオ情報および前記ビデオ情報のうち少なくとも１つを前記通信機器で処理させる処理コード部であって、前記通信機器は、前記プロセッサおよび前記通信リンクと独立に他の通信機器と通信する機能を有する処理コード部と
を備えたことを特徴とするコンピュータ読取可能な媒体。
【請求項４６】
前記通信機器は、周辺装置モードで構成されて、前記受信の動作および処理の動作を行うことを特徴とする請求項４５に記載のコンピュータ読取可能な媒体。
【請求項４７】
前記周辺装置モードへの構成は、前記通信機器および前記プロセッサのうち少なくとも１つによって開始および解除されることを特徴とする請求項４６に記載のコンピュータ読取可能な媒体。
【請求項４８】
前記通信機器は、音声通信機器を含むことを特徴とする請求項４５に記載のコンピュータ読取可能な媒体。
【請求項４９】
前記通信機器は、携帯電話を含むことを特徴とする請求項４５に記載のコンピュータ読取可能な媒体。
【請求項５０】
前記通信リンクは、有線通信リンク、無線通信リンク、ブルートゥース互換リンク、光リンク、無線周波（ＲＦ）リンク、ユニバーサルシリアルバス（ＵＳＢ）互換リンクのうち少なくとも１つであることを特徴とする請求項４５に記載のコンピュータ読取可能な媒体。
【発明の詳細な説明】
【技術分野】
【０００１】
本発明は、一般に通信機器およびプロセッサに関し、より詳細には、携帯電話をコンピュータプロセッサの周辺装置として利用することに関する。
【背景技術】
【０００２】
パーソナルコンピュータやラップトップ機などのコンピュータが非常に普及してきている。しかし、一般に、パーソナルコンピュータからのオーディオ、特にラップトップ機から出力されるオーディオの品質は、すべての考えられる使用法、例えば音声による会話を行うなどに適していないか、または最適化されたものではない。通常、コンピュータの音声を聞くにはコンピュータの近くにいなければならず、また逆にコンピュータの近くにいる他の人に会話のあらゆる面が聞こえてしまうので、口頭の対話ではプライバシー問題も懸念されることとなる。ラップトップ機の場合、電池によって供給される電力の多くは、大型ディスプレイに画像を描画する、あるいは単にステータスを表示するために消費されてしまうのである。
【０００３】
携帯電話もまたきわめて普及してきている。固定電話（ｌａｎｄ  ｌｉｎｅ）を引かず、携帯電話を唯一の通信機器として使用することは珍しくない。相当時間をかけて携帯電話を選ぶ人も少なくない。携帯電話の購入は、例えば、音声の品質、（提供される場合は）ビデオの品質、携帯電話の全体的な感触、色、型、付属品（例えばヘッドセットや充電器）、およびサービスプランなどに着目して検討される。携帯電話は、あらゆる場面で、数例を挙げると、通勤中、食事中、歩行中、勤務中、余暇中などに使用される。したがって、携帯電話があれば非常に安心であるという心理も理解できる。
【発明の開示】
【発明が解決しようとする課題】
【０００４】
パーソナルコンピュータあるいはラップトップ機では、内蔵されたオーディオシステムと部品を用いて音声による会話を行う機能は、通例それほど考慮されていない。大半のユーザにとって、例えば性能、メモリ、ディスク容量、ディスプレイの解像度といった他の要素の方が高い優先事項と思われているからである。高品質で個人間の通信を行うには、一般に用途に応じた周辺装置が必要とされる（例えばＰＣオーディオヘッドセットの使用など）。
【０００５】
このため、携帯電話など、用途が最適化された通信機器をプロセッサの周辺装置として使用し、それにより、これらの通信機器を介してプロセッサから提供されるオーディオ、静止画像、ビデオ、ならびにユーザ対話を実行する能力を提供し、ユーザが携帯電話などの単体の機器をその本来の目的だけでなく、同様の特性を要するＰＣの周辺装置としても使用することができるようにすることが望まれる。
【課題を解決するための手段】
【０００６】
本発明によるシステムおよび方法は、例えば携帯電話などの通信機器を、パーソナルコンピュータ（ＰＣ）やラップトップ機などのプロセッサの周辺装置として利用する。通信機器とプロセッサは、直接の通信を提供する通信リンクを介して通信する。すなわち、通信機器とプロセッサとは、中間のシステムを介して通信することなく相互に通信を行う。通信機器は、プロセッサおよび通信リンクと独立に他の通信機器と通信することができる。例えば通信機器が携帯電話である場合、携帯電話は、プロセッサと通信リンクと独立に他の携帯電話と通信することができ、携帯用ネットワークを使用せずにプロセッサと直接通信することができる。通信リンクは、有線リンクまたは無線リンク（例えばブルートゥースリンク）とすることができる。通信機器は、通信リンクを介してプロセッサから受信したオーディオデータおよび／またはビデオデータなどのデータを処理する。
【０００７】
本発明の特徴および利点は、添付図面と併せて以下の説明を検討すると最もよく理解されよう。
【発明を実施するための最良の形態】
【０００８】
本発明によるシステムは、例えばラップトップコンピュータやパーソナルコンピュータ（ＰＣ）などのプロセッサの周辺装置として機能する通信機器、例えば携帯電話などを備える。このプロセッサ中心のシステムにおいて、通信機器は、プロセッサのスピーカ、マイクロフォン、および／またはディスプレイの代わりとなるのである。通信機器は、直接プロセッサに結合される。例えば、通信機器が携帯電話である場合、その携帯電話は、携帯用ネットワークを介してプロセッサに結合されるのではなく、下記の数個の例示された通信リンクのいずれかによりプロセッサに直接結合する。本明細書には各種の実施形態が記載されている。これら各種の実施形態には、音声の周辺装置、オーディオ周辺装置、表示周辺装置、およびそれらの組合せとして機能する通信機器が含まれる。この実施形態には、無線リンク、有線リンク、光リンク、およびそれらの組合せを含む、通信機器とプロセッサ間の通信リンクも含まれる。さらなる実施形態には、プロセッサを介して他のもの（例えばインターネット）に結合された通信機器が含まれる。通信機器を介してプロセッサとのユーザ対話を達成することができるのである。例えば、ユーザは、再生リストを見る、プロセッサの設定を変更する、あるいは通信機器を介してテキストメッセージを送信することができる。これらの動作は、通信機器のキーパッドおよび／またはホイール（サムホイールなど）によって行うことができる。
【０００９】
このプロセッサ中心のシステムでは、プロセッサはアプリケーションを実行し、そのアプリケーションに関連する情報を通信機器に送信することができる。例えば、プロセッサは、（内部メモリに記憶されているか、コンパクトディスク（ＣＤ）から）映画を再生するなどのマルチメディアアプリケーションを実行することができる。映画は通信周辺装置に送信され、通信周辺装置が映画を表示する。このような方式で映画を通信機器で表示することにより多くの利点が得られる。例えば、プロセッサがバッテリパックで動作するラップトップ機である場合、プロセッサは映画を表示するためにラップトップ機のディスプレイを使用しなくてよいので、バッテリパックの寿命を延ばすことができる。別のシナリオでは、数人のユーザが各自の通信機器（携帯電話など）で別々の映画を見ることができる。この別々の映画は、数個のアプリケーションを同時に実行することが可能なプロセッサ（ラップトップなど）から送信されるわけである。このシナリオは特に飛行機内などで有効である。
【００１０】
図１は、周辺装置としての通信機器１１２およびプロセッサ１１４を備えるプロセッサ中心のシステム１００の図である。図１では通信機器１１２を携帯電話として示すが、通信機器１１２は任意の適当な通信機器でよいことを理解されたい。適当な通信機器の例には、携帯電話、ポータブル電話、携帯情報端末（ＰＤＡ）、スマートパーソナルオブジェクト、および携帯型あるいは固定型の電子通信機器が含まれる。図１ではプロセッサ１１４をラップトップコンピュータとして示すが、プロセッサ１１４は任意の適切なプロセッサでよいことを理解されたい。適切なプロセッサの例には、ラップトップコンピュータ、ノート型コンピュータ、ＰＣ、サーバ、デスクトップコンピュータ、モバイルコンピュータ、およびハンドヘルドコンピュータが含まれる。通信機器１１２は、音響情報を出力するスピーカ１１６と、音響情報を受け取るマイクロフォン１１８を備える。
【００１１】
通信機器１１２は、任意で、視覚情報を表示するディスプレイ１２０を備えることもできる。通信リンク１２２は、通信機器１１２とプロセッサ１１４間の（データとも呼ばれる）情報の転送を容易にする。通信リンク１２２は、通信機器１２２の送信部および受信部、およびプロセッサ１１４の送信部および受信部を備える。
【００１２】
図１には図を簡潔にするため、通信機器１１２およびプロセッサ１１４の受信部および送信部は示していないが、これらの送信部および受信部は図５に示していることに留意されたい。通信リンク１２２は、任意の適切な通信リンクを含むことができる。適切な通信リンクの例には、無線リンク、無線周波（ＲＦ）リンク、ブルートゥースリンク、有線リンク、ユニバーサルシリアルバス（ＵＳＢ）リンク、光リンク、および赤外線リンクがある。本発明の一実施形態において、通信機器１１２は、周辺装置モードに設定される。周辺装置モードでは、通信機器１１２は、プロセッサ１１４と情報の送受信を行うことができる。周辺装置モードは、通信機器１１２、プロセッサ１１４、またはその組合せから起動することができる。
【００１３】
一実施形態のシステム１００において、通信機器１１２は、プロセッサ１１４のスピーカおよびマイクロフォンとして機能する。したがって、プロセッサ１１４によって提供されたオーディオデータは、通信リンク１２２を介して通信機器１１２に送信され、スピーカ１１６によって出力される。また、マイクロフォン１１８を介して通信機器１１２に提供された音響情報（声など）は、通信リンク１２２を介してプロセッサ１１４に送信される。任意で、プロセッサ１１４から提供されたビデオデータは、通信リンク１２２を介して通信機器１１２に送信され、ディスプレイ１２０に表示することもできる。
【００１４】
図２は、本発明の一実施形態による通信リンク１２２を介してプロセッサ１１４に結合された複数の通信機器１１２１〜１１２Ｎを備えるプロセッサ中心のシステム２００の図であり、プロセッサ１１４は、ネットワークリンク２１２を介してネットワーク２１４にも結合される。ネットワーク２１４は、例えばイントラネット、電話網、インターネットなどの任意の適切なネットワークを含むことができる。ネットワークリンク２１２は、プロセッサ１１４とネットワーク２１４間でデータ転送が可能な任意の適切なリンクを含むことができる。適切なネットワークリンク２１２の例には、有線リンク、無線リンク、光リンク、ＴＣＰ／ＴＰ（伝送制御プロトコル／インターネットプロトコル）互換リンク、あるいはそれらの組合せがある。各通信機器１１２１〜１１２Ｎは、真の周辺装置として機能し、したがってシステム２００はプロセッサ中心のシステムとなるのである。各通信機器１１２は、プロセッサ１１４によって制御される。例えば、プロセッサ１１４が固定回線の電話システムに結合され、固定電話から着呼を受信するように構成されているものと想定するのである。プロセッサ１１４は、通信機器１１２１〜１１２Ｎのうち選択されたものに呼を転送する。
【００１５】
別の例では、プロセッサ１１４はインターネットに結合され、ＶＯＩＰ（Ｖｏｉｃｅ  ｏｖｅｒ  Ｉｎｔｅｒｎｅｔ  Ｐｒｏｔｏｃｏｌ）を介して音声通信を受信するように構成される。プロセッサ１１４は、ＶＯＩＰ呼を受信すると、直接の通信リンク１２２を介して、通信機器１１２１〜１１２Ｎの選択されたものにその呼を転送する。通信機器１１２が呼を開始していないことに留意されたい。また、直接の通信リンク１２２を介した通信機器１１２への呼の転送は、単に携帯用ネットワークを介したインターネットから携帯電話へのダウンロードではない点にも留意されたい。この転送は、プロセッサ１１４によって制御され、携帯用ネットワークを通らないのである。
【００１６】
上述のように、通信リンク１２２は、通信機器１１２とプロセッサ１１４との間で直接情報（データ）を転送することが可能な任意の適切な通信リンクを備えることができる。本発明の一実施形態において、通信リンク１１２はブルートゥース通信リンクを備える。ブルートゥースは、当技術分野では低消費電力のマルチチャンネルＲＦ通信の規格として知られる。ブルートゥース通信リンク１２２を利用して、プロセッサ１１４は、選択された複数の通信機器周辺装置１１２１〜１１２Ｎと干渉を生じずに同時に通信することができる。したがって、例えば、システム２００のユーザは、それぞれ、通信リンク１２２を介してプロセッサ１１４から提供される音楽を各自の通信機器１１２で聴くことができる。すべてのユーザが同じ音楽を聴くことも、各ユーザが選択した特定の音楽を聴くこともできる。プロセッサ１１４は、数個のアプリケーションを同時に処理することが可能なのである。したがって、プロセッサ１１４は、数個の音楽アプリケーションを同時に処理することができる。通信リンク１２２のマルチチャネル実施形態を利用して、各ユーザは、選択した音楽を聴くことができる。通信リンク１２２のこの実施形態の無線機能により、ユーザは機動的になることができる（例えばすべてのユーザが同じ部屋にいなくてよい）。
【００１７】
図３は、ヘッドセット３１２を備える通信機器１１２の図である。本発明の一実施形態において、通信機器１１２はヘッドセット３１２を備え、ヘッドセット３１２は使用時には通信リンク３１４を介して通信機器に結合される。ヘッドセット３１２の使用により、ユーザ３１６は、通信リンク３１４を介して通信機器１１２から提供されるデータ（音楽や音声）を聴くことができる。これは、ユーザが手を自由に使えるので好都合である。本発明の例示的な一実施形態において、ユーザ３１６は、プロセッサ１１４を利用するのと同時に音楽を聴くことができる。この例示の実施形態において、プロセッサは（例えばメディアプレーヤアプリケーションによって）音楽を再生し、音楽に関連するデータを通信リンク１２２を介して送信し、このデータは通信リンク３１４を介して通信機器１１２から受信されてヘッドセット３１２に送信される。
【００１８】
通信リンク３１４は、無線リンク、無線周波（ＲＦ）リンク、ブルートゥースリンク、有線リンク、ユニバーサルシリアルバス（ＵＳＢ）リンク、光リンク、および赤外線リンクなど任意の適切なリンクとすることができる。本発明の一実施形態において、リンク３１４は、ブルートゥース互換リンクである。本発明の別の例示的な実施形態において、プロセッサ１１４はインターネットに結合され、ユーザ３１６は、インターネットを介して別の者とグループ参加型のゲームをプレーし、通信機器１１２を介してその者に話しかけることができる。
【００１９】
図４は、通信リンク１２２を介してプロセッサ１１４から異なる情報を同時に受信している複数の通信機器１１２１、１１２２の図である。図４に示すユーザは、それぞれ通信機器１１２１および１１２２のディスプレイ１２０１および１２０２によって処理されるビデオ情報を見ている。ユーザは同時に、ヘッドセット３１２１および３１２２によって処理されるオーディオ情報を聴いている。したがって、オーディオ情報とビデオ情報が、通信リンク１２２を介してプロセッサ１１４から通信機器１１２１および１１２２に転送される。通信機器１１２１および１１２２は、それぞれディスプレイ１２０１と１２０２を介してビデオ情報を表示し、通信リンク３１４を介して個々のヘッドセット３１２１および３１２２にオーディオ情報を送信する。
【００２０】
本発明の別の実施形態において、ヘッドセット３１２は、音響情報を受信し、その情報を通信リンク３１４を介して通信機器１１２に送信するマイクロフォンを備える。この実施形態は、互いからの声が届く範囲外にいる（可聴範囲内にない）複数のユーザが関わってくるシナリオで特に有効である。例えば、２人のユーザ（夫と妻）が飛行機に乗っており、互いの席が離れているとする。また、プロセッサがラップトップコンピュータであり、通信機器がヘッドセットを備える携帯電話であり、通信リンク１２２および３１４がブルートゥース互換リンクであるとする。本発明のこの実施形態で利用されると、各ユーザは異なる映画を同時に見ることができる。すなわち、選択された２つの映画（ラップトップコンピュータ中に記憶されている）を再生し、各映画に関連する情報をブルートゥースリンク１２２の別個のチャンネルを通じて送信するようにラップトップコンピュータ１１４に指示することができる。各携帯電話１１２は、周辺装置モードに設定することができる。周辺装置モードでは、携帯電話１１２は、ラップトップ１１４との情報の送受信を行うことができる。各映画のビデオ情報およびオーディオ情報は、ブルートゥース通信リンク１２２を介して個々の携帯電話に送信される。すなわち、夫が選択した映画の情報は夫の携帯電話に送信され、妻が選択した映画の情報は妻の携帯電話に送信される。各ユーザは、各自の携帯電話１１２のディスプレイ１２０で個々の映画のビデオ部分を見る。また、各ユーザは、各自のヘッドセット３１２で個々の映画のオーディオ部分を聴く。例えば妻が夫に話しかけたい場合は、単に自分のヘッドセット３１２のマイクロフォンに喋るだけでよい（あるいはスイッチを介してこの機能を起動することができる）。マイクロフォンは、妻の音声を受信し、その音声に関連する情報をブルートゥースリンク３１４を介して妻の携帯電話１１２に送信する。妻の携帯電話１１２は、その情報をブルートゥースリンク１２２を介してラップトップコンピュータ１１４に送信する。そして、ラップトップコンピュータ１１４は、ブルートゥースリンク１２２を介して夫の携帯電話に情報を送信する。別の実施形態において、妻はテキストメッセージなどを夫に送信することができる。
【００２１】
図５は、本発明の例示的な実施形態による通信機器１１２をプロセッサ１１４の周辺装置として利用するシステム５００のブロック図である。システム５００は、通信機器１１２、プロセッサ１１４、および任意でヘッドセット３１２を備える。通信機器５１２は、マイクロフォン５２６、受信部５２８、少なくとも１つのスピーカ５３０、送信部５３２、およびオプションのディスプレイ５３４を備える。スピーカ５３０およびディスプレイ５３４は、それぞれ通信リンクを介してプロセッサ５１４から受信されたオーディオ情報とビデオ情報とを処理する変換機である。受信部５２８は、通信リンクを介してデータを受信する。上述のように、この通信リンクは、ヘッドセット５１６へのリンク、プロセッサ５１４へのリンク、またはその組合せである。受信部５２８は、受信データのオーディオ情報に関連する部分をスピーカ５３０に提供する。スピーカ５３０は、受信したデータを音響エネルギーに変換する（オーディオを処理する）。受信部５２８は、受信データのビデオ情報に関連する部分を（ディスプレイを利用する場合）ディスプレイ５３４に提供する。ディスプレイ５３４は、受信したデータをビデオ情報に変換し（ビデオを処理し）、そのデータのオーディオ部分をマイクロフォン５２６に提供する。送信部５３２は、通信リンクにデータを提供する。送信部５３２は、音響情報に関連するデータをマイクロフォン５２６から受信する。このデータは、ヘッドセット５１６、プロセッサ５１４、またはそれらの組合せに転送される。
【００２２】
オプションのヘッドセット５１６は、マイクロフォン５１８、送信部５２０、少なくとも１つのスピーカ５２２、および受信部５２４を備える。受信部５２４は、通信リンクを介してデータを受信する。上述のように、この通信リンクは、通信機器５１２へのリンクである。受信部５２４は、受信したデータをスピーカ５２２に提供する。スピーカ５２２は、受信データを音響エネルギーに変換する（オーディオを処理する）。送信部５２０は、通信リンクにデータを提供する。送信部５２０は、マイクロフォン５１８からデータを受信する。このデータは通信機器５１２に転送される。任意で、ヘッドセットは、マイクロフォン５１８から送信部５２０へのデータの転送を可能にするスイッチ５４８を備えることができる。スイッチ５４８は、機械的に操作する、音声で作動させる、またはそれらの組合せたものとすることができる。
【００２３】
プロセッサ５１４は、通信リンクに結合された受信部５３６と送信部５４０を備える。上述のように、この通信リンクは、通信機器５１２へのリンクである。プロセッサ５１４は、ネットワークリンクに結合された受信部５３８および送信部５４２も備える。上述のように、このネットワークリンクはネットワーク（インターネットなど）に結合することができる。受信部５３６は、通信リンクを介してデータを受信する。上述のように、この通信リンクは、通信機器５１２へのリンクである。受信部５３６は、受信したデータをプロセッサ５１４の処理部５４６に送る。送信部５４０は、通信リンクにデータを提供する。送信部５４０のデータは、音響情報、ビデオ情報、またはそれらの組合せなどである。本発明の一実施形態において、通信機器５１２とプロセッサ５１４の間で通信リンクを介して制御信号を転送し、通信機器５１２の周辺装置モードへの設定および設定の解除を行う。通信機器５１６が携帯電話である例示的な実施形態において、通信リンクは携帯用ネットワークではなく、通信機器５１２とプロセッサ５１４との間の直接の通信リンクであることに留意されたい。
【００２４】
図６は、本発明によるプロセッサからのデータを通信機器で処理する例示的プロセスのフローチャートである。ステップ６１２で、プロセッサ（例えばプロセッサ１１４）から送信されたデータを、通信リンク（例えば通信リンク１２２）を介して通信機器（例えば通信機器１１２）によって直接受信する。ステップ６１２でデータは補助的な周辺装置（ヘッドセット３１２など）で受信することもできる。通信機器によって受信されたデータは、ステップ６１４で通信機器によって処理される。上述のように、オーディオデータは音響変換機（スピーカ１１６など）によって処理され、ビデオデータは、通信機器が表示装置を有する場合は表示装置（ディスプレイ１２０など）によって処理される。ステップ６１４でオーディオデータも補助的な周辺装置（ヘッドセット３１２など）によって処理することができる。ステップ６１６で、通信リンクを介して通信機器からプロセッサに直接データを送信することができる。例えば、この通信はプロセッサに対して音声情報および／または制御情報を示す送信データである。ステップ６１６で、データは補助的な周辺装置（ヘッドセット３１２など）から送信することができる。
【００２５】
ここに記載されるプロセッサからのデータを通信機器で処理する方法は、コンピュータによって実行されるプロセスとそれらプロセスを実行するシステムという形で達成することができる。本明細書に記載されるプロセッサからのデータを通信機器で処理する方法は、フロッピー（登録商標）ディスケット、読み取り専用メモリ（ＲＯＭ）、ＣＤ−ＲＯＭ、ハードドライブ、高密度ディスク、あるいはその他任意のコンピュータ読取可能な記憶媒体などの有形媒体として実装されたコンピュータプログラムコードの形で実装することもでき、そのコンピュータプログラムコードがコンピュータにロードされ、実行されると、コンピュータは本発明を実施するシステムとなる。本明細書に記載されるプロセッサからのデータを通信機器で処理する方法は、記憶媒体に記憶されたコンピュータプログラムコード、コンピュータにロードされ、および／またはコンピュータによって実行されるコンピュータプログラムコード、あるいは電気配線またはケーブル、光ファイバ、電磁放射などの何らかの送信媒体を通じて送信されるコンピュータプログラムコードの形で実装することもでき、そのコンピュータプログラムコードがコンピュータにロードされ、実行されると、コンピュータは本発明を実装するシステムとなる。汎用プロセッサで実行される場合、コンピュータプログラムコードのセグメントが、特定の論理回路を作成するようにプロセッサを構成する。
【００２６】
本明細書に記載した各種技術は、ハードウェアまたはソフトウェア、あるいは適切である場合はそれらの組合せと関連させて実装することができる。したがって、本発明の方法および装置、またはその特定の態様または部分は、フロッピー（登録商標）ディスケット、ＣＤ−ＲＯＭ、ハードドライブ、またはその他任意の機械読取可能な記憶媒体などの有形媒体として実装されたプログラムコード（すなわち命令）の形をとることができ、そのプログラムコードがコンピュータなどのマシンにロードされ、実行されると、マシンは本発明を実施する装置となる。プログラム可能なコンピュータ上でプログラムコードを実行する場合、コンピューティングデバイスは、一般に、プロセッサ、そのプロセッサにより読取可能な記憶媒体（揮発性メモリおよび不揮発性メモリ、および／または記憶素子を含む）、少なくとも１つの入力装置、および少なくとも１つの出力装置を含む。例えばデータ処理ＡＰＩなどの使用を通じて本発明の信号処理サービスを利用する可能性がある１つまたは複数のプログラムは、コンピュータと通信するために高級手続き型プログラミング言語またはオブジェクト指向のプログラミング言語で実装することが好ましい。ただし、このプログラムは、それが要求される場合はアセンブリ言語またはマシン言語で実装することができる。いずれの場合も、その言語はコンパイルされる言語またはインタープリタによって解釈される言語であり、ハードウェア実装と組み合わせることができる。
【００２７】
本発明の方法および装置は、電気配線またはケーブル、光ファイバ、あるいはその他任意の形態の伝送などの何らかの送信媒体を通じて送信されるプログラムコードの形態で実装された通信を介して実施することもでき、そのプログラムコードが受信され、ＥＰＲＯＭ、ゲートアレイ、プログラマブルロジックデバイス（ＰＬＤ）、クライアントコンピュータ、ビデオレコーダなどのマシンにロードされ、実行されると、上記の例示的な実施形態で述べたような信号処理機能を有する受信マシンが本発明を実施する装置となる。汎用プロセッサで実行されると、プログラムコードはプロセッサと組み合わされ、本発明の機能を呼び出すように動作する独自の装置を提供する。また、本発明との関連で使用される記憶技術は、常にハードウェアとソフトウェアの組合せとすることができる。
【００２８】
種々の図面に例示された実施形態とともに本発明の実施形態を説明したが、本発明から逸脱することなく、他の同様の実施形態を使用する、またはここに記載される実施形態に変更または追加を加えて同じ本発明の機能を行うことが可能であることを理解されたい。さらに、特に無線ネットワークデバイスの数が急増し続けていることを考慮すると、ハンドヘルドデバイスのオペレーティングシステムおよびその他の専用のオペレーティングシステムを含む各種のコンピュータプラットフォームについても企図されることを強調しておきたい。したがって、本発明はどの単一の実施形態にも限定されず、特許請求の範囲に従った範囲内で解釈すべきである。
【図面の簡単な説明】
【００２９】
【図１】本発明による周辺装置としての通信機器とプロセッサを備えるプロセッサ中心システムの図である。
【図２】本発明による、通信リンクを介してプロセッサに結合された複数の通信機器を備えるプロセッサ中心システムの図であり、プロセッサはネットワークリンクを介してネットワークにも結合される図である。
【図３】本発明によるヘッドセットを備える例示的通信機器の図である。
【図４】本発明による通信リンクを介してプロセッサから異なる情報を同時に受信する複数の例示的通信機器の図である。
【図５】本発明による通信機器をプロセッサの周辺装置として利用する例示的システムのブロック図である。
【図６】本発明によるプロセッサからのデータを通信機器で処理する例示的プロセスのフローチャートである。
【符号の説明】
【００３０】
１００、２００    プロセッサ中心のシステム
１１２、１１２１〜１１２Ｎ    通信機器
１１４    プロセッサ
１１６    スピーカ
１１８    マイクロフォン
１２２、３１４    通信リンク
２１２    ネットワークリンク
２１４    ネットワーク
３１２、３１２１、３１２２    へッドセット
３１６    ユーザ
５１２    通信機器
５１４    プロセッサ
５１６    ヘッドセット
５１８、５２６    マイクロフォン
５２０、５３２、５４２    送信部
５２２、５３０、５４４    スピーカ
５２４、５２８、５３８    受信部
５３４    ディスプレイ（オプション）
５４６    ＣＰＵ、Ｉ／Ｏ、メモリなど
【図１】
2005027319.tif 000003
【図２】
2005027319.tif 000004
【図３】
2005027319.tif 000005
【図４】
2005027319.tif 000006
【図５】
2005027319.tif 000007
【図６】
2005027319.tif 000008
【外国語明細書】
2005027319000001.pdf